(57)【要約】【課題】着脱自在でなく高さ調節も不可能であったり、キッチンシンクの形状や素材が限定されていたり、キッチンシンクの内側への設置の為、使用範囲を狭めるものである。  本発明は、上記の問題点を解決する水はね防止ガードを提供する。【解決手段】  本発明の水はね防止ガードは、弾性を有する材料からなり、平面の裏側部分全体に、複数の吸盤が設けられた平面の長い辺に対して直角に、立ち上げた側面の上部側の端の各長い辺に平行して中央に、切込み（横サイド）を入れた構成であり、平面の裏側部分全体に、複数の吸盤が設けられた平面の吸盤の接着時、長い辺側の隙間が開かないように、長い辺の裾の平面からの突出高さは、吸盤を設置台に押し付けた状態時、設置台の面に垂直に隙間無く届く高さ寸法と等しい構成で、吸盤の接着時、長い辺の裾より水はねの侵入を防ぐことを特徴とする水はね防止ガード。【選択図】図２
2018062840.tif 000002
【特許請求の範囲】
【請求項１】
本発明の水はね防止ガードは、弾性を有する材料からなり、平面の裏側部分全体に、複数の吸盤が設けられた平面の長い辺に対して直角に、立ち上げた側面の上部側の端の各長い辺に平行して中央に、切込み（横サイド）を入れた構成であり、平面の裏側部分全体に、複数の吸盤が設けられた平面の吸盤の接着時、長い辺側の隙間が開かないように、長い辺の裾の平面からの突出高さは、吸盤を設置台に押し付けた状態時、設置台の面に垂直に隙間無く届く高さ寸法と等しい構成であることにより、吸盤の接着時、長い辺の裾より水はねの侵入を防ぐことができることを特徴とする水はね防止ガード。
【発明の詳細な説明】
【技術分野】
【０００１】  本発明は、キッチン・洗面所等の水はねを防ぐシートに関するものである。
【背景技術】
【０００２】  従来において、キッチン・洗面所等の水はねを防ぐシートは知られている。
【先行技術文献】
【特許文献】
【０００３】
【特許文献１】  特開２００４−７３７９４号公報
【特許文献２】  特開２００６−１１５９２２号公報
【特許文献３】  実用新案登録３１９５９２２号公報
【特許文献４】  実用新案登録３１１４２３１号公報
【発明の概要】
【発明が解決しようとする課題】
【０００４】  特許文献１においては、ステンレス流し台用対応で、他の素材には対応できない。
また、特許文献２においては、取り付けはずしができにくいもので、さらに、高さ調節がしにくい。
特許文献３・４は着脱自在だが、曲面部の洗面ボールの場合着脱がしにくい。
また、キッチンシンク内部・洗面ボール内部への取り付けの為、キッチンシンク・洗面ボールの使用有効範囲を狭める。
本発明は、以上の問題点を解決するものである。
【課題を解決するための手段】
【０００５】  本発明の水はね防止ガードは、弾性を有する材料からなり、キッチンシンク・洗面所ボール台等の設置台（以下、設置台）の前に正面を向いて立った状態で、胴体が隠れる長さの平面の裏側部分全体に、複数の吸盤が設けられた平面で取り付ける。この水はね防止ガードは、着脱自在で、着脱場所を自由に変えることができる。
また、設置台の前に正面を向いて立った状態で、胴体が隠れる長さの平面の裏側部分全体に、複数の吸盤が設けられた平面の長い辺に対して直角に、立ち上げた側面の上部側の端の各長い辺に平行して中央に、切込み（横サイド）を入れた構成である。
さらに、設置台の前に正面を向いて立った状態で、胴体が隠れる長さの平面の裏側部分全体に、複数の吸盤が設けられた平面の吸盤の接着時、長い辺側の隙間が開かないように、長い辺の裾の平面からの突出高さは、吸盤を設置台に押し付けた状態時、設置台の面に垂直に隙間無く届く高さ寸法と等しい構成である。これにより、吸盤の接着時、長い辺の裾より水はねの侵入を防ぐことができる。
また、設置台への手前側に設置する場合、上部側の各長い辺に平行して中央の切込み（横サイド）を入れた箇所に、体によく水はねが飛ぶおへそ回りの高さを高くした取り付け外し可能な弾性を有するシートを挟み使用する。
本発明は、以上の構成よりなる水はね防止ガードである。
【発明の効果】
【０００６】  本発明により、着脱自在で高さ調節も可能である。
また、キッチンシンク・洗面所ボール台等の設置台の形状や素材を問うことなく対応できる。さらに、設置台の内側への設置ではないので、設置台の使用有効範囲を狭めることがない。
【図面の簡単な説明】
【０００７】
【図１】  本発明の斜視図
【図２】  本発明の斜視図
【図３】  本発明の一部の上部側の斜視図
【図４】  本発明の使用状態を示す斜視図
【図５】  本発明の横側から見た側面断面図
【図６】  本発明の一部の上部側の正面から見た断面図
【図７】  本発明の一部の上部側の横側から見た側面断面図
【図８】  本発明の裏側から見た平面図
【図９】  本発明の一部の弾性を有するシートの斜視図
【図１０】  本発明の使用状態を示す斜視図
【発明を実施するための形態】
【０００８】以下、本発明の実施の形態を説明する。
本発明の水はね防止ガード（１）は、弾性を有する材料からなり、キッチンシンク・洗面所ボール台等の設置台（以下、設置台）の前に正面を向いて立った状態で、胴体が隠れる長さの平面（９）の裏側部分全体に、複数の吸盤（６）が設けられた平面（９）で取り付ける。この水はね防止ガード（１）は、着脱自在で、着脱場所を自由に変える事ができる。
【０００９】  また、設置台の前に正面を向いて立った状態で、胴体が隠れる長さの平面（９）の裏側部分全体に、複数の吸盤（６）が設けられた平面（９）の長い辺に対して直角に、立ち上げた側面（８）の上部側（２）の端の各長い辺に平行して中央に、切込み（横サイド）（４）を入れた構成である。この上部側は、切込み（横サイド）を入れるのに支障のない厚みで構成されたものである。
また、切込み（横サイド）（４）の形状は、上部側（２）の形状、例えば、連続したアーチ状の短い幅の中央を長い辺に平行して切込みを入れたものである。
【００１０】  さらに、各設置台の前に正面を向いて立った状態で、胴体が隠れる長さの平面（９）の裏側部分全体に、複数の吸盤（６）が設けられた平面（９）の吸盤（６）の接着時、長い辺側の隙間が開かないように、長い辺の裾（３）の平面（９）からの突出高さは、吸盤（６）を設置台に押し付けた状態時、設置台の面に垂直に隙間無く届く高さ寸法と等しい構成である。これにより、吸盤（６）の接着時、長い辺の裾（３）より水はねの侵入を防ぐことができる。
【００１１】  また、設置台への手前側に設置する場合、上部側（２）の各長い辺に平行して中央の切込み（横サイド）（４）を入れた箇所に、体によく水はねが飛ぶおへそ回りの高さを高くした取り付け外し可能な弾性を有するシート（７）を挟み使用する。
【００１２】  さらに、設置台の前に正面を向いて立った状態で、胴体が隠れる長さの平面（９）の裏側部分全体に、複数の吸盤（６）が設けられた平面（９）の長い辺に対して直角に、立ち上げた側面（８）の上部側（２）の切込み（横サイド）（４）に対して直角に、切込み（縦サイド）（５）を入れた構成である。例えば、切込み（横サイド）（４）のアーチの最下部に切込み（縦サイド）（５）を直角に入れた構成である。
上記水はね防止ガード（１）を、９０度変えて使用することもできる。これにより、切込み（縦サイド）（５）を入れた箇所に、タオル・ゴミ袋・歯ブラシ等をかけることもできる。
本発明は、以上の構成である。
【００１３】  本発明を使用する場合は、設置台の前に正面を向いて立った状態で、胴体が隠れる長さの平面（９）の裏側部分全体に、複数の吸盤（６）が設けられた平面（９）で取り付ける。この水はね防止ガード（１）は、着脱自在で、着脱場所を自由に変えることができる。
また、設置台の手前側に設置する場合、各長い辺に平行して中央の切込み（横サイド）（４）を入れた箇所に、体によく水はねが飛ぶおへそ回りの高さを高くした取り付け外し可能な弾性を有するシート（７）を挟み使用する。これにより、設置台より、水はね等を遮ることができる。設置台の側面側等に設置する場合は、弾性を有するシート（７）は必ずしも必要ない。高さのバリエーションのある弾性を有するシート（７）は、取り付け外しが自由にできる。
【００１４】  さらに、設置台の全面扉等の箇所に、上記水はね防止ガード（１）を、９０度変えて使用することもできる。これにより、食品保存フィルム等を置くことができる。その他、上記水はね防止ガード（１）を、９０度変えて、設置台の全面扉等の箇所に、複数の吸盤（６）が設けられた平面（９）の長い辺に対して直角に、立ち上げた側面（８）の上部側（２）の切込み（横サイド）（４）に対して直角に、切込み（縦サイド）（５）を入れた箇所に、タオル・ゴミ袋・歯ブラシ等をかけて使用することもできる。
【００１５】  また、キッチンシンク台で料理をする際に、水はね防止ガード（１）の上部側（２）の箇所にかけて、鍋蓋・菜箸等を置くこともできる。
さらに、上部側（２）の切込み（横サイド）（４）に、ファイルにした絵画等を挟んだり、メモスタンドとして利用することもできる。
また、飾り棚の棚落ちガードにもなりインテリアも兼ねる。
その他、洗面所において、上記水はね防止ガード（１）の適宜の箇所に、アクセサリー・メガネ等の仮置きとして利用もできる。
【符号の説明】
【００１６】（１）水はね防止ガード、  （２）上部側、  （３）長い辺の裾、  （４）切込み（横サイド）、  （５）切込み（縦サイド）、  （６）吸盤、  （７）弾性を有するシート、  （８）側面、  （９）平面
【図１】
2018062840.tif 000003
【図２】
2018062840.tif 000004
【図３】
2018062840.tif 000005
【図４】
2018062840.tif 000006
【図５】
2018062840.tif 000007
【図６】
2018062840.tif 000008
【図７】
2018062840.tif 000009
【図８】
2018062840.tif 000010
【図９】
2018062840.tif 000011
【図１０】
2018062840.tif 000012